(57)【要約】  本発明は、ユーザ・プレーンからの制御プレーンのキャリア・アグリゲーション・ベースの分離の方法に関し、基地局は、ユーザ機器との通信接続をそれぞれセットアップするように構成されたマクロ基地局とピコ基地局とを含んでおり、また本方法は、一次サービス・セルと、二次サービス・セルとして、それぞれ、マクロ基地局と、ピコ基地局とを構成するステップと、マクロ基地局の上のスケジューリング許可を通じて送信されるべき第１のＭＡＣ  ＣＥ信号よりも制御信号を優先するステップと、前のステップにおいて、制御信号が送信された後のマクロ基地局の上の残りのスケジューリング許可が、第１のＭＡＣ  ＣＥ信号にとって使用可能である場合、マクロ基地局が、第１のＭＡＣ  ＣＥ信号を送信するステップと、そうでない場合に、マクロ基地局が、ピコ基地局に対して第１のＭＡＣ  ＣＥ信号を送信するステップと、ピコ基地局の上のスケジューリング許可を通じて送信されるべきデータ部分よりも第１のＭＡＣ  ＣＥ制御信号を優先するステップとを含む。本発明の方法は、高いモビリティ管理を保証しながらマクロ基地局の上のスケジューリング許可の構成を最適化することができる。
2016507985.tif 000002
【特許請求の範囲】
【請求項１】
ワイヤレス通信ネットワークの基地局におけるユーザ・プレーンからの制御プレーンのキャリア・アグリゲーション・ベースの分離の方法であって、前記基地局は、ユーザ機器との通信接続をそれぞれセットアップするように構成されたマクロ基地局とピコ基地局とを含む方法において、
ａ．一次サービス・セルと、二次サービス・セルとして、それぞれ、前記マクロ基地局と、前記ピコ基地局とを構成するステップと、
ｂ．前記マクロ基地局の上のスケジューリング許可を通じて送信されるべき第１のＭＡＣ  ＣＥ信号よりも制御信号を優先するステップと、
ｃ．ステップｂにおいて、前記制御信号が送信された後の前記マクロ基地局の上の残りのスケジューリング許可が、前記第１のＭＡＣ  ＣＥ信号にとって使用可能である場合、前記マクロ基地局が、前記第１のＭＡＣ  ＣＥ信号を送信するステップと、そうでない場合に、前記マクロ基地局が、前記ピコ基地局に対して前記第１のＭＡＣ  ＣＥ信号を送信するステップと、
ｄ．前記ピコ基地局の上のスケジューリング許可を通じて送信されるべきデータ部分よりも前記第１のＭＡＣ  ＣＥ制御信号を優先するステップと
を含む方法。
【請求項２】
前記ステップｃにおいて、前記制御信号と、前記第１のＭＡＣ  ＣＥ信号とが送信された後の前記マクロ基地局の上の残りのスケジューリング許可が使用可能である場合、前記残りのスケジューリング許可において前記データ部分が送信され、かつ／または冗長部分が満たされる、請求項１に記載の方法。
【請求項３】
前記第１のＭＡＣ  ＣＥ信号は、二次サービス・セルのアクティブ化／非アクティブ化信号、ＴＡＣ信号、またはＤＲＸ信号を含んでいる、請求項１または２に記載の方法。
【請求項４】
ワイヤレス通信ネットワークのユーザ機器におけるユーザ・プレーンからの制御プレーンのキャリア・アグリゲーション・ベースの分離の方法であって、基地局は、前記ユーザ機器との通信接続をそれぞれセットアップするように構成されたマクロ基地局と、ピコ基地局とを含む方法において、
ｏ．前記ワイヤレス通信ネットワークから第１の表示を受信するステップと、
ｐ．前記第１の表示の受信のすぐ後に、前記ユーザ機器が、
ｐ１．前記マクロ基地局のアップリンク許可を通じて送信されるべき第２のＭＡＣ  ＣＥ信号よりも制御信号を優先するステップ、および前記マクロ基地局の前記残りのアップリンク許可が、前記第２のＭＡＣ  ＣＥ信号にとって使用可能であるときに、第１のＲＬＣ  ＰＤＵを形成し、前記第１のＲＬＣ  ＰＤＵをＭＡＣレイヤに対して送信するための前記第２のＭＡＣ  ＣＥ信号の前記許可の対応する部分を予約するステップであって、前記第２のＭＡＣ  ＣＥ信号が、前記制御信号を含み、または前記制御信号を含み、前記第２のＭＡＣ  ＣＥのための前記許可の前記対応する部分を予約する、ステップ、そうでなければ、
ｐ２．前記ピコ基地局のアップリンク許可を通じて送信されるべきデータ部分よりも前記第２のＭＡＣ  ＣＥ信号を優先するステップ、および前記第２のＭＡＣ  ＣＥ信号が、前記ピコ基地局の前記アップリンク許可を通じて送信される必要がある場合、前記第２のＭＡＣ  ＣＥ信号のための前記許可の対応する部分を予約し、第２のＲＬＣ  ＰＤＵを形成し、前記第２のＲＬＣ  ＰＤＵを前記ＭＡＣレイヤに対して送信するステップと、
を含む、ＲＬＣ  ＰＤＵを生成するプロセスを開始するステップと、
ｑ．前記第１のＲＬＣ  ＰＤＵおよび前記第２のＲＬＣ  ＰＤＵと、前記第２のＭＡＣ  ＣＥ信号とからそれぞれ前記ＭＡＣレイヤにおける第１のＭＡＣ  ＰＤＵおよび第２のＭＡＣ  ＰＤＵを形成するステップ、および前記第１のＭＡＣ  ＰＤＵおよび前記第２のＭＡＣ  ＰＤＵを、それぞれ、前記マクロ基地局および前記ピコ基地局に対して送信するステップと
を含む方法。
【請求項５】
前記マクロ基地局の前記残りのアップリンク許可が、前記制御信号の後に使用可能であり、また前記第２のＭＡＣ  ＣＥ信号が送信される場合、前記ステップｐ１は、
前記データ部分が前記マクロ基地局の前記アップリンク許可を使用することが許されるかどうかに応じて論理チャネルの優先順位に従って前記データ部分を前記マクロ基地局の前記アップリンク許可へとそれぞれ入れるステップ、および前記第１のＲＬＣ  ＰＤＵを生成するステップと
をさらに含む、請求項４に記載の方法。
【請求項６】
前記マクロ基地局と、前記ピコ基地局とは、Ｘ２インターフェースのＸ２信号を経由して互いに通信する、請求項４に記載の方法。
【請求項７】
前記第２のＭＡＣ  ＣＥ信号は、ＢＳＲ信号であり、また前記ステップｑにおいて、前記第１のＭＡＣ  ＰＤＵおよび／または前記第２のＭＡＣ  ＰＤＵは、それぞれ制御チャネルおよび／またはデータ・チャネルのＢＳＲ情報を含んでいる、請求項４または５に記載の方法。
【請求項８】
前記第１のＭＡＣ  ＰＤＵと、前記第２のＭＡＣ  ＰＤＵとは、Ｘ２インターフェースを経由して前記マクロ基地局または前記ピコ基地局に対して、それぞれ、前記データ・チャネルの前記ＢＳＲ情報を転送するように前記マクロ基地局に指示し、あるいは前記制御チャネルの前記ＢＳＲ情報を転送するように前記ピコ基地局に指示する第１の転送表示情報をさらに含んでいる、請求項７に記載の方法。
【請求項９】
前記第１の転送表示は、論理チャネル・グループＩＤまたは論理チャネルＩＤである、請求項８に記載の方法。
【請求項１０】
前記第２のＭＡＣ  ＣＥ信号は、ＰＨＲ信号／拡張ＰＨＲ信号であり、前記ステップｑにおいて、前記第１のＭＡＣ  ＰＤＵと、前記第２のＭＡＣ  ＰＤＵとは、それぞれ、前記マクロ基地局および前記ピコ基地局のＰＨＲ情報を含んでいる、請求項４または５に記載の方法。
【請求項１１】
前記第２のＭＡＣ  ＣＥ信号は、ＰＨＲ信号／拡張ＰＨＲ信号であり、前記ステップｑにおいて、前記第１のＭＡＣ  ＰＤＵまたは前記第２のＭＡＣ  ＰＤＵは、前記マクロ基地局および前記ピコ基地局のＰＨＲ情報と、Ｘ２インターフェースを経由して、前記ピコ基地局または前記マクロ基地局に対してそれぞれ、前記ピコ基地局の前記ＰＨＲ情報を転送するように前記マクロ基地局に指示し、または前記マクロ基地局の前記ＰＨＲ情報を転送するように前記ピコ基地局に指示する第２の転送表示情報とを含んでいる、請求項４または５に記載の方法。
【発明の詳細な説明】
【技術分野】
【０００１】
本開示は、ワイヤレス通信の分野に関し、詳細には、ワイヤレス通信ネットワークの基地局とユーザ機器とにおけるユーザ・プレーンからの制御プレーンのキャリア・アグリゲーション・ベースの分離の方法に関する。
【背景技術】
【０００２】
最近では、典型的に、より大きなカバレッジ・エリアを有するマクロ基地局と、比較的より小さなカバレッジ・エリアを有するピコ基地局とが、今日、異機種ワイヤレス通信ネットワークにおいて存在している。図１は、先行技術におけるネットワーク・アーキテクチャの概略図１００を示すものであり、また明らかであり得るように、そのようなネットワーク環境においては、マクロ基地局１１０は、基礎となるネットワーク・カバレッジを提供しており（図の中で点で描かれた背景によって示されるように）、またその一方では、例えば、小電力におけるピコ基地局１２１、１２２、１２３および１２４（すなわち、小さなネットワーク・カバレッジ・エリア（図の中で斜線によって示されるエリア）を有する）は、より高速で可能なネットワーク・アクセスを提供する。このとき、マクロ基地局と、ピコ基地局とに共通のカバレッジ・エリアの中に存在するユーザ機器は、それらの両方に対する通信接続を同時にセットアップすることができるようになり、このことは、ユーザ機器と２つのタイプの基地局とを最大限にまた最適に使用するためには、マクロ基地局およびピコ基地局の使用を最適化して、どのように通信すべきかという問題をもたらし得る。
【０００３】
一般に、マクロ基地局は、典型的に、便利なモビリティ管理の観点から一次サービス・セルとしての機能を果たし、このとき、ピコ基地局は、それに応じて、二次サービス・セルとしての機能を果たす。このときに、ＲＲＣ信号は、マクロ基地局のスケジューリング許可を通じて送信されることになり、またデータ部分は、ピコ基地局のスケジューリング許可を通じて送信されることになる。したがって、一方では、マクロ基地局の上のスケジューリング許可は、ＲＲＣ信号のために十分に使用されないこともあり、すなわち、マクロ基地局の上の残りのスケジューリング許可は、他の信号にとって使用可能であり得るが、従来では、マクロ基地局の上でＲＲＣ信号だけを送信させており、その結果、残りのスケジューリング許可は浪費されることになり、また他方では、あるタイプの重要な「制御信号」、すなわちＭＡＣ  ＣＥ信号はまた、場合によってはマクロ基地局のスケジューリング許可を通じて送信されることが望ましく、ピコ基地局のスケジューリング許可を通じたその送信は、Ｘ２インターフェースを経由した送信において遅延を受ける可能性があり、これは、ワイヤレス・ネットワークの上の通信と、最適化された後続のスケジューリングとの両方に対して不都合であり得る。
【発明の概要】
【課題を解決するための手段】
【０００４】
先行技術と、上記のように特定されたその技術的問題とを考慮して、本発明の第１の態様は、ワイヤレス通信ネットワークの基地局におけるユーザ・プレーンからの制御プレーンのキャリア・アグリゲーション・ベースの分離の方法を提案しており、そこでは、基地局は、ユーザ機器との通信接続をそれぞれセットアップするように構成されたマクロ基地局とピコ基地局とを含んでおり、また本方法は、
ａ．一次サービス・セルと、二次サービス・セルとして、それぞれ、マクロ基地局と、ピコ基地局とを構成するステップと、
ｂ．マクロ基地局の上のスケジューリング許可を通じて送信されるべき第１のＭＡＣ  ＣＥ信号よりも制御信号を優先するステップと、
ｃ．ステップｂにおいて、制御信号が送信された後のマクロ基地局の上の残りのスケジューリング許可が、第１のＭＡＣ  ＣＥ信号にとって使用可能である場合、マクロ基地局が、第１のＭＡＣ  ＣＥ信号を送信するステップと、そうでない場合に、マクロ基地局が、ピコ基地局に対して第１のＭＡＣ  ＣＥ信号を送信するステップと、
ｄ．ピコ基地局の上のスケジューリング許可を通じて送信されるべきデータ部分よりも第１のＭＡＣ  ＣＥ制御信号を優先するステップと
を含む。
【０００５】
本発明の方法は、基地局側においてマクロ基地局の上のスケジューリング許可の完全な、また妥当な使用を行うことができる。
【０００６】
本発明の一実施形態においては、ステップｃにおいて、制御信号と、第１のＭＡＣ  ＣＥ信号とが送信された後のマクロ基地局の上の残りのスケジューリング許可が使用可能である場合、残りのスケジューリング許可においてデータ部分が送信され、かつ／または冗長部分（ｒｅｄｕｎｄａｎｃｙ）が満たされる（ｆｉｌｌ）ことがさらに好ましい。
【０００７】
このようにして、マクロ基地局の上のスケジューリング許可の妥当なユーザは、ユーザ・プレーンのデータ部分がマクロ基地局のスケジューリング許可を通じて送信されることを可能にしながら、上記で説明されたように最大化され得る。
【０００８】
本発明の一実施形態においては、第１のＭＡＣ  ＣＥ信号は、二次サービス・セルのアクティブ化／非アクティブ化信号、ＴＡＣ信号、またはＤＲＸ信号を含んでいる。当業者なら、第１のＭＡＣ  ＣＥ信号が、これらの３つのタイプの信号に加えて、他の適切なＭＡＣ  ＣＥ信号とすることもできることを理解すべきである。
【０００９】
本発明の第２の態様は、ワイヤレス通信ネットワークのユーザ機器におけるユーザ・プレーンからの制御プレーンのキャリア・アグリゲーション・ベースの分離の方法であって、基地局は、ユーザ機器との通信接続をそれぞれセットアップするように構成されたマクロ基地局と、ピコ基地局とを含んでおり、また本方法は、
ｏ．ワイヤレス通信ネットワークから第１の表示を受信するステップと、
ｐ．第１の表示の受信のすぐ後に、ユーザ機器が、
ｐ１．マクロ基地局のアップリンク許可を通じて送信されるべき第２のＭＡＣ  ＣＥ信号よりも制御信号を優先するステップ、およびマクロ基地局の残りのアップリンク許可が、第２のＭＡＣ  ＣＥ信号にとって使用可能であるときに、第１のＲＬＣ  ＰＤＵを形成し、第１のＲＬＣ  ＰＤＵをＭＡＣレイヤに対して送信するための前記第２のＭＡＣ  ＣＥ信号の許可の対応する部分を予約するステップであって、第２のＭＡＣ  ＣＥ信号が、制御信号を含み、または制御信号を含み、第２のＭＡＣ  ＣＥのための許可の対応する部分を予約する、ステップ、そうでなければ、
ｐ２．ピコ基地局のアップリンク許可を通じて送信されるべきデータ部分よりも第２のＭＡＣ  ＣＥ信号を優先するステップ、および第２のＭＡＣ  ＣＥ信号が、ピコ基地局のアップリンク許可を通じて送信される必要がある場合、第２のＭＡＣ  ＣＥ信号のための許可の対応する部分を予約し、第２のＲＬＣ  ＰＤＵを形成し、第２のＲＬＣ  ＰＤＵをＭＡＣレイヤに対して送信するステップと、
を含む、ＲＬＣ  ＰＤＵを生成するプロセスを開始するステップと、
ｑ．第１のＲＬＣ  ＰＤＵおよび第２のＲＬＣ  ＰＤＵと、第２のＭＡＣ  ＣＥ信号とからそれぞれＭＡＣレイヤにおける第１のＭＡＣ  ＰＤＵおよび第２のＭＡＣ  ＰＤＵを形成するステップ、および第１のＭＡＣ  ＰＤＵおよび第２のＭＡＣ  ＰＤＵを、それぞれ、マクロ基地局およびピコ基地局に対して送信するステップと
を含む方法を提供している。
【００１０】
本発明の一実施形態においては、マクロ基地局の残りのアップリンク許可が、制御信号の後に使用可能であり、また第２のＭＡＣ  ＣＥ信号が送信される場合、ステップｐ１は、
データ部分が、マクロ基地局のアップリンク許可を使用することが許されるかどうかに応じて論理チャネルの優先順位に従って、データ部分をマクロ基地局のアップリンク許可へとそれぞれ入れるステップ、および第１のＲＬＣ  ＰＤＵを生成するステップと
をさらに含む。
【００１１】
本発明の一実施形態においては、マクロ基地局と、ピコ基地局とは、Ｘ２インターフェースのＸ２信号を経由して互いに通信する。
【００１２】
本発明の一実施形態においては、第２のＭＡＣ  ＣＥ信号は、ＢＳＲ信号であり、またステップｑにおいて、第１のＭＡＣ  ＰＤＵおよび／または第２のＭＡＣ  ＰＤＵは、制御チャネルおよび／またはデータ・チャネルのＢＳＲ情報を含んでいる。
【００１３】
本発明の一実施形態においては、第１のＭＡＣ  ＰＤＵと、第２のＭＡＣ  ＰＤＵとは、Ｘ２インターフェースを経由してマクロ基地局またはピコ基地局に対して、それぞれ、データ・チャネルのＢＳＲ情報を転送するようにマクロ基地局に指示し、あるいは制御チャネルのＢＳＲ情報を転送するようにピコ基地局に指示する第１の転送表示情報をさらに含んでいる。
【００１４】
本発明の一実施形態においては、第１の転送表示は、論理チャネル・グループＩＤまたは論理チャネルＩＤである。
【００１５】
本発明の一実施形態においては、第２のＭＡＣ  ＣＥ信号は、ＰＨＲ信号／拡張ＰＨＲ信号であり、またステップｑにおいて、第１のＭＡＣ  ＰＤＵと、第２のＭＡＣ  ＰＤＵとは、それぞれ、マクロ基地局およびピコ基地局とのＰＨＲ情報を含んでいる。
【００１６】
本発明の一実施形態においては、第２のＭＡＣ  ＣＥ信号は、ＰＨＲ信号／拡張ＰＨＲ信号であり、またステップｑにおいて、第１のＭＡＣ  ＰＤＵまたは第２のＭＡＣ  ＰＤＵは、マクロ基地局およびピコ基地局のＰＨＲ情報と、Ｘ２インターフェースを経由して、ピコ基地局またはマクロ基地局に対して、それぞれ、ピコ基地局のＰＨＲ情報を転送するようにマクロ基地局に指示し、またはマクロ基地局のＰＨＲ情報を転送するようにピコ基地局に指示する第２の転送表示情報とを含んでいる。
【００１７】
要約すれば、本発明による、基地局側とユーザ機器側とにおけるユーザ・プレーンからの制御プレーンのキャリア・アグリゲーション・ベースの分離の方法は、ネットワーク全体を通して妥当に構成される許可を有し、またマクロ基地局の上のスケジューリング許可、ならびにユーザ機器の上のマクロ基地局のアップリンク許可の使用の効率を改善することができ、またさらに、制御信号（例えば、ＲＲＣ信号）は、マクロ基地局の上のスケジューリング許可を通じてのみ送信され、またマクロ基地局の大きなカバレッジ・エリアと、低い周波数とは、マクロ基地局を非常に信頼できるものにしており、またさらに、データはまた、ピコ基地局の高い周波数スペクトル・リソースの上で送信されて、それによってまたデータの送信レートを改善し、また他方では、ユーザ機器が、ピコ基地局の小さなカバレッジ・エリアに頻繁に入り、また離れるときに、ハンド・オーバ・プロシージャ（Ｈａｎｄ  Ｏｖｅｒ  ｐｒｏｃｅｄｕｒｅ）は、開始される必要はなく、その結果、モビリティ管理は、影響を受けないことになる。さらに、制御すべき非常に重要なＭＡＣ  ＣＥ信号はまた、マクロ基地局の上のスケジューリング許可を通じて送信されるように優先されて、それによってＭＡＣ  ＣＥ信号の送信における遅延を低下させ、またその結果として全体のネットワークの動作効率を改善させる。
【００１８】
本発明の他の特徴、目的および利点は、図面を参照して考慮される非限定的な実施形態についての以下の詳細な説明の検討をするとすぐにより明らかになるであろう。
【図面の簡単な説明】
【００１９】
【図１】先行技術におけるネットワーク・アーキテクチャの概略図１００である。
【図２】本発明による、ワイヤレス通信ネットワークの基地局におけるユーザ・プレーンからの制御プレーンのキャリア・アグリゲーション・ベースの分離の方法２００を示す図である。
【図３】本発明による、ワイヤレス通信ネットワークのユーザ機器におけるユーザ・プレーンからの制御プレーンのキャリア・アグリゲーション・ベースの分離の方法３００を示す図である。
【発明を実施するための形態】
【００２０】
同一の、または類似したデバイス（モジュール）またはステップは、図面全体を通して同一の、または類似した参照番号によって示されるであろう。
【００２１】
好ましい実施形態の以下の特定の説明は、本発明の一部分を構成する図面を参照して与えられるであろう。それらの図面は、特定の実施形態を例示的に示しており、これらの実施形態において、本発明は、実践される可能性がある。例示の実施形態は、本発明のすべての実施形態を徹底的に検討し尽くすことを意図してはいない。理解され得るように、他の実施形態が、可能なこともあり、あるいは構造的な修正形態、または論理的な修正形態が、本発明の範囲を逸脱することなく行われる可能性がある。それゆえに、以下の詳細な説明は、限定的であることを意図してはおらず、また本発明の範囲は、添付の特許請求の範囲におけるように規定されるであろう。
【００２２】
図１は、先行技術におけるネットワーク・アーキテクチャの概略図１００を示すものであり、またこの図は、節「本発明の背景」において説明されており、そのため、その反復された説明は、ここでは省略される。
【００２３】
上記で特定されるように、先行技術と、その技術的問題とを考慮して、モビリティ管理を保証する前提条件の上で、マクロ基地局のスケジューリング許可をフルに使用するために、またマクロ基地局と、ピコ基地局と、ユーザ機器との間の信号をよりスムーズに、また便利に送信するために、本発明の第１の実施形態２００は、ワイヤレス通信ネットワークの基地局におけるユーザ・プレーンからの制御プレーンのキャリア・アグリゲーション・ベースの分離の方法を提案しており、ここで基地局は、ユーザ機器１３０との通信接続をそれぞれセットアップするように構成されたマクロ基地局１１０と、ピコ基地局１２１、１２２、１２３および１２４とを含んでおり、また本方法は、
最初に、ステップ２１０において、マクロ基地局と、ピコ基地局とは、それぞれ、一次サービス・セル（Ｐセル（Ｐｃｅｌｌ））と、二次サービス・セル（Ｓセル（Ｓｃｅｌｌ））としてそれぞれ構成されており、
次いで、ステップ２２０において、制御信号は、マクロ基地局の上のスケジューリング許可を通じて送信されるべき第１のＭＡＣ  ＣＥ信号よりも優先されており、
次に、ステップ２３０において、制御信号がステップ２２０において送信された後のマクロ基地局の上の残りのスケジューリング許可が、第１のＭＡＣ  ＣＥ信号にとって使用可能であるかどうかが、決定され、またそうである場合、マクロ基地局は、第１のＭＡＣ  ＣＥ信号を送信し、そうでない場合には、マクロ基地局は、第１のＭＡＣ信号をピコ基地局に対して送信し、またピコ基地局は、第１のＭＡＣ信号を送信し、また
最後に、ステップ２４０において、第１のＭＡＣ  ＣＥ制御信号は、ピコ基地局の上のスケジューリング許可を通じて送信されるべきデータ部分よりも優先される。第１のＭＡＣ  ＣＥ信号が、マクロ基地局から送信される場合、第１のＭＡＣ  ＣＥ信号は、伝送のためのスケジューリング許可のＭＡＣ  ＰＤＵへと入れられるように優先され、また次いで、正規のデータ部分は、伝送のためのスケジューリング許可のＭＡＣ  ＰＤＵへと入れられるが、第１のＭＡＣ  ＣＥが、マクロ基地局のスケジューリング許可を通じて伝送されている場合、データ部分だけが、ピコ基地局のスケジューリング許可を通じて送信されることになる。
【００２４】
この実施形態においては、制御信号は、マクロ基地局のスケジューリング許可を通じて送信され、またデータ部分は、ピコ基地局のスケジューリング許可を通じて送信される。しかしながら、実際のアプリケーションにおいては、マクロ基地局の上の残りのスケジューリング許可は、制御信号（例えば、従来のＲＲＣ信号）の後にアイドル状態であることもあり、また第１のＭＡＣ  ＣＥ信号は、スケジューリング許可の中に入れられ、またこのときに、残りの許可は、完全に、また妥当に使用されないことになり、このようにしてマクロ基地局の上のスケジューリング許可を浪費している。この状況が発生するのを回避するために、本発明の一実施形態においては、ステップ２３０において、マクロ基地局の上の残りのスケジューリング許可が、制御信号（例えば、従来のＲＲＣ信号）の後に留まり、また第１のＭＡＣ  ＣＥ信号が送信される場合、データ部分が送信され、かつ／または冗長部分が残りの許可に満たされる。
【００２５】
このようにして、マクロ基地局の上のスケジューリング許可の妥当な使用は、当業者にとって望ましいように最大にされる可能性がある。さらに、第１のＭＡＣ  ＣＥ信号は、マクロ基地局の上の許可が、または十分な許可が、マクロ基地局の上の第１のＭＡＣ  ＣＥ信号の送信にとって使用可能でない場合だけに、先ずピコ基地局に対して転送され、また次いで、ピコ基地局の上のスケジューリング許可を通じて送信されることになり、またこれは、第１のＭＡＣ  ＣＥ信号のできる限りタイムリーな送信を保証して、それによってワイヤレス通信ネットワーク全体を通して構成の効率を改善することができる。
【００２６】
本発明の一実施形態においては、第１のＭＡＣ  ＣＥ信号は、二次サービス・セルのアクティブ化／非アクティブ化信号、ＴＡＣ信号、またはＤＲＸ信号を含んでいる。当業者なら、ここで述べられる第１のＭＡＣ  ＣＥ信号が、これらの３つのタイプの信号に加えて、他の適切な任意のＭＡＣ  ＣＥ信号とすることもできることを理解すべきである。
【００２７】
基地局側における上記の最適化に加えて、最適化はまた、ユーザ機器側において必要であることもあり、そのため、図３に示されるような本発明の別の実施形態が、ワイヤレス通信ネットワークのユーザ機器におけるユーザ・プレーンからの制御プレーンのキャリア・アグリゲーション・ベースの分離についての本発明３００による方法を提案しており、ここで、基地局はまた、ユーザ機器との通信接続をそれぞれセットアップするように構成されたマクロ基地局と、ピコ基地局とを含んでおり、また図３に示されるように、本方法は、以下のステップを含んでおり、すなわち、
最初にステップ３１０において、第１の表示は、ワイヤレス通信ネットワークから受信され、ここで、ここの第１の表示は、ユーザ・プレーンからの制御プレーンの分離についてユーザ機器を可能にする表示情報とすることができ、例えば、ユーザ機器が、ピコ基地局と、マクロ基地局とのカバレッジ・エリアのオーバーラップするエリアに入るときに、基地局側は、ユーザ・プレーンからの制御プレーンの分離のための条件が満たされることをユーザ機器に通知し、またユーザ・プレーンから制御プレーンを分離するようにユーザ機器に指示する表示情報を送信し、
次いでステップ３２０において、ユーザ機器は、第１の表示の受信のすぐ後に、ＲＬＣ  ＰＤＵを生成するプロセスを開始し、ここでこのステップは、以下のサブステップを、すなわち、
サブステップ１：制御信号が、マクロ基地局のアップリンク許可を通じて送信されるべき第２のＭＡＣ  ＣＥ信号よりも優先され、また、マクロ基地局の残りのアップリンク許可が、第２のＭＡＣ  ＣＥ信号にとって使用可能であるときに、許可の対応する部分は、第２のＭＡＣ  ＣＥ信号が、第１のＲＬＣ  ＰＤＵを形成し、また第１のＲＬＣ  ＰＤＵをＭＡＣレイヤに対して送信するために予約され、第１のＲＬＣ  ＰＤＵは、制御信号を含んでおり、あるいは制御信号を含み、また第２のＭＡＣ  ＣＥについての許可の対応する部分を予約しており、そうでない場合には、
サブステップ２：また第２のＭＡＣ  ＣＥ信号は、ピコ基地局のアップリンク許可を通じて送信されるべきデータ部分よりも優先され、また第２のＭＡＣ  ＣＥ信号が、ピコ基地局のアップリンク許可を通じて送信される必要がある場合、許可の対応する部分は、第２のＭＡＣ  ＣＥ信号のために予約され、また第２のＲＬＣ  ＰＤＵは、形成され、またＭＡＣレイヤに対して送信される
を含むことができ、
最後に、ステップ３３０において、第１のＭＡＣ  ＰＤＵと、第２のＭＡＣ  ＰＤＵとは、第１のＲＬＣ  ＰＤＵおよび第２のＲＬＣ  ＰＤＵと、第２のＭＡＣ  ＣＥ信号とからそれぞれＭＡＣレイヤにおいて形成され、またそれぞれマクロ基地局と、ピコ基地局とに対して送信される。
【００２８】
同様に、この実施形態においては、制御信号は、マクロ基地局のアップリンク許可を通じて送信され、またデータ部分は、ピコ基地局のアップリンク許可を通じて送信される。しかしながら、実際のアプリケーションにおいては、マクロ基地局の上の残りのアップリンク許可は、制御信号（例えば、従来のＲＲＣ信号）の後に、アイドル状態である可能性があり、また第２のＭＡＣ  ＣＥ信号は、アップリンク許可に入れられ、またこのときに、残りの許可は、完全に、また妥当に使用されないことになり、このようにしてマクロ基地局の上のアップリンク許可を浪費している。この状況が起こるのを回避するために、本発明の一実施形態においては、ステップ３２０において、マクロ基地局の上の残りのアップリンク許可が、制御信号（例えば、従来のＲＲＣ信号）の後に使用可能であり、また第２のＭＡＣ  ＣＥ信号が、送信される場合、データ部分が送信され、かつ／または冗長部分が残りの許可に満たされる。
【００２９】
このようにして、マクロ基地局の上のアップリンク許可の妥当な使用は、当業者にとって望ましいように最大にされる可能性がある。さらに、第２のＭＡＣ  ＣＥ信号は、マクロ基地局の上の許可が、または十分な許可が、マクロ基地局の上の第２のＭＡＣ  ＣＥ信号の送信にとって使用可能でない場合だけに、先ず、ピコ基地局に対して転送され、また次いで、ピコ基地局の上のスケジューリング許可を通じて送信されることになり、またこれは、第２のＭＡＣ  ＣＥ信号のできる限りタイムリーな送信を保証して、それによってワイヤレス通信ネットワーク全体を通して構成の効率を改善することができる。
【００３０】
本発明の一実施形態においては、マクロ基地局の残りのアップリンク許可が、制御信号の後に使用可能であり、また第２のＭＡＣ  ＣＥ信号が、送信される場合、ステップ３２０のサブステップ１は下記を含む。
データ部分が、マクロ基地局のアップリンク許可の使用を許されるかどうかに応じて、論理チャネルの優先順位に従ってマクロ基地局のアップリンク許可へとそれぞれ入れられ、また第１のＲＬＣ  ＰＤＵが生成される。
【００３１】
本発明の一実施形態においては、マクロ基地局と、ピコ基地局とは、Ｘ２インターフェースのＸ２信号を経由して互いに通信する。
【００３２】
さらに、本発明の一実施形態においては、第２のＭＡＣ  ＣＥ信号は、ＢＳＲ信号とすることができ、またステップ３３０において、第１のＭＡＣ  ＰＤＵおよび／または第２のＭＡＣ  ＰＤＵは、制御チャネルおよび／またはデータ・チャネルのＢＳＲ情報を含んでいる。ここで、組合せにおけるスキームの４つの可能性のある組合せが、存在しており、また第１のＭＡＣ  ＰＤＵが、制御信号だけのＢＳＲ信号を含んでおり、また第２のＭＡＣ  ＰＤＵが、データ・チャネルだけのＢＳＲ信号を含んでいる場合のスキームの組合せのうちの１つにおいて、それらは、それぞれマクロ基地局と、ピコ基地局とに対して送信される。
【００３３】
上記の実施形態においては、第１のＭＡＣ  ＰＤＵまたは第２のＭＡＣ  ＰＤＵが、制御チャネルと、データ・チャネルとのＢＳＲ情報を含む場合、これは、すべてのＢＳＲ情報（すなわち、制御チャネルと、データ・チャネルとについての）が、マクロ基地局またはピコ基地局によって受信されることになることを意味しており、またこのときに、そのような一実施形態においては、第１のＭＡＣ  ＰＤＵと、第２のＭＡＣ  ＰＤＵとは、Ｘ２インターフェースを経由してマクロ基地局またはピコ基地局に対してそれぞれ、データ・チャネルのＢＳＲ情報を転送するようにマクロ基地局に指示し、または制御チャネルのＢＳＲ情報を転送するようにピコ基地局に指示する第１の転送表示情報をさらに含んでいる。具体的には、本発明の一実施形態においては、第１の転送表示は、論理チャネル・グループＩＤ、または論理チャネルＩＤである。
【００３４】
本発明の一実施形態においては、第２のＭＡＣ  ＣＥ信号は、ＰＨＲ信号／拡張ＰＨＲ信号であり、またステップ３３０において、第１のＭＡＣ  ＰＤＵと、第２のＭＡＣ  ＰＤＵとは、それぞれマクロ基地局と、ピコ基地局とのＰＨＲ情報を含んでおり、またこのときに、マクロ基地局と、ピコ基地局とのＰＨＲ情報は、それぞれ対応するマクロ基地局と、ピコ基地局とに対して送信されるであろう。このようにして、マクロ基地局と、ピコ基地局との電力情報は、マクロ基地局が、ピコ基地局の電力情報をピコ基地局に対して転送し、またはピコ基地局が、マクロ基地局の受信された電力情報を対応する基地局に対して転送する後続の転送プロセスなしにそれぞれ送信されるであろう。
【００３５】
本発明の一実施形態においては、第２のＭＡＣ  ＣＥ信号は、ＰＨＲ信号／拡張ＰＨＲ信号とすることができ、またステップ３３０において、第１のＭＡＣ  ＰＤＵまたは第２のＭＡＣ  ＰＤＵは、マクロ基地局と、ピコ基地局とのＰＨＲ情報を含んでおり、またこのときに、上記のＢＳＲ情報のように、ピコ基地局またはマクロ基地局によって受信されるべきＰＨＲ情報は、そのピコ基地局、またはマクロ基地局によって受信されることになり、またこのときに、第２の転送表示情報は、Ｘ２インターフェースを経由してピコ基地局またはマクロ基地局に対して、それぞれ、ピコ基地局のＰＨＲ情報を転送するようにマクロ基地局に指示し、またはマクロ基地局のＰＨＲ情報を転送するようにピコ基地局に指示するために含まれるであろう。
【００３６】
要約すれば、基地局側と、ユーザ機器側とにおけるユーザ・プレーンからの制御プレーンのキャリア・アグリゲーション・ベースの分離についての本発明の方法は、ネットワーク全体にわたって妥当に構成される許可を有し、またマクロ基地局の上のスケジューリング許可、ならびにユーザ機器の上のマクロ基地局のアップリンク許可についての使用の効率を改善することができ、またさらに、制御信号（例えば、ＲＲＣ信号）は、マクロ基地局の上のスケジューリング許可を通じてだけ送信され、またマクロ基地局の大きなカバレッジ・エリアと、低い周波数とは、マクロ基地局を非常に信頼できるものにしており、またさらに、データはまた、ピコ基地局の高周波数スペクトル・リソースを通じて送信されて、それによってデータの送信レートを改善させてもおり、また他方では、ユーザ機器が、ピコ基地局の小さなカバレッジ・エリアに頻繁に入り、また離れるときに、ＨＯプロシージャは、開始される必要はなく、その結果、モビリティ管理は、影響を受けないことになる。さらに、制御することが非常に重要なＭＡＣ  ＣＥ信号はまた、マクロ基地局の上のスケジューリング許可を通じて送信されるように優先付けられて、それによってＭＡＣ  ＣＥ信号の送信における遅延を低下させ、またその結果として、全体のネットワークの動作の効率を改善させる。
【００３７】
当業者なら、本発明は、明らかに、上記の例示の実施形態だけに限定されないことになり、また本発明の趣旨または本質を逸脱することなく、他の特定の形態で具現化され得ることを理解すべきである。それに応じて、それらの実施形態は、いずれにしても例示的であり、また非限定的なものであるように解釈されるべきである。さらに、明らかに、用語「備えている／含んでいる（ｃｏｍｐｒｉｓｉｎｇ）」は、別の要素（単数または複数）あるいはステップ（単数または複数）を除外することにはならず、また用語「１つの（ａ）」または「１つの（ａｎ）」は、複数形を除外することにはならない。装置請求項において述べられる複数の要素は、代わりに、単一の要素として具現化されることもある。用語「第１の（ｆｉｒｓｔ）」、「第２の（ｓｅｃｏｎｄ）」などは、名前を指定することを意図しているが、特定のどのような順序を示唆することも意図してはいない。
【図１】
2016507985.tif 000003
【図２】
2016507985.tif 000004
【図３】
2016507985.tif 000005
【国際調査報告】
2016507985.tif 000006
2016507985.tif 000007
2016507985.tif 000008